(57)【要約】【課題】  支持具を基礎上に設置する手間を省いて免震構造物の施工を簡単にすることができ、また、免震装置の個数や配置等の幅広い選択を行い得る免震構造物の施工方法を提供すること。【解決手段】  免震構造物の施工方法をもって施工された戸建住宅１は、地盤２に設置されたコンクリート製の基礎３と、基礎３上に複数の免震装置４、５及び６を介して支持されたコンクリート製の床７を含む構造物としての建物本体８とを具備している。戸建住宅１は、免震装置４、５及び６によって免震化されている。【選択図】図１
2006037422.tif 000002
【特許請求の範囲】
【請求項１】
基礎に取り付けられる基礎側の取付部及び構造物が取り付けられる構造物側の取付部を有している免震装置と構造物及び構造物側の取付部の荷重を支持することができると共に構造物側の取付部及び基礎側の取付部間に取り外し自在に設置された仮支持部材とを具備した組み合わせ体を準備する工程と、準備した組み合わせ体の基礎側の取付部を基礎上に取り付ける工程と、基礎側の取付部が基礎上に取り付けられた組み合わせ体の仮支持部材に構造物及び構造物側の取付部の荷重を支持させつつ、構造物を構造物側の取付部上に設置する工程と、構造物の設置後、基礎側の取付部及び構造物側の取付部間から仮支持部材を取り外す工程とを具備している免震構造物の施工方法。
【請求項２】
組み合わせ体の基礎側の取付部と構造物側の取付部との間には、少なくとも二つの仮支持部材が設置される請求項１に記載の免震構造物の施工方法。
【請求項３】
仮支持部材は、断面コ形状又は断面Ｈ形状のプレートからなる請求項１又は２に記載の免震構造物の施工方法。
【請求項４】
仮支持部材は、金属製である請求項１から３のいずれか一項に記載の免震構造物の施工方法。
【請求項５】
仮支持部材は、構造物及び構造物側の取付部の鉛直方向の荷重を支持することができるように、基礎側の取付部及び構造物側の取付部の少なくとも一方に取り外し自在に固定される請求項１から４のいずれか一項に記載の免震構造物の施工方法。
【請求項６】
仮支持部材は、構造物及び構造物側の取付部の鉛直方向及び水平方向の荷重を支持することができるように、基礎側の取付部及び構造物側の取付部の双方に取り外し自在に固定される請求項１から５のいずれか一項に記載の免震構造物の施工方法。
【請求項７】
仮支持部材は、ボルトを介して基礎側の取付部及び構造物側の取付部の少なくとも一方に取り外し自在に固定される請求項１から６のいずれか一項に記載の免震構造物の施工方法。
【請求項８】
免震装置は、構造物側の取付部の基礎側の取付部に対する変位を許容すると共に構造物の鉛直方向の荷重を支持することができるように基礎側の取付部及び構造物側の取付部間に介在される支持体を有しており、仮支持部材は、支持体の周囲において構造物及び構造物側の取付部の荷重を支持することができるように当該支持体の周囲に取り外し自在に設置される請求項１から７のいずれか一項に記載の免震構造物の施工方法。
【請求項９】
支持体は、基礎側の取付部及び構造物側の取付部の夫々に対して転動自在である転動体又は基礎側の取付部及び構造物側の取付部の少なくとも一方に対して水平方向に滑動自在である滑動体からなる請求項８に記載の免震構造物の施工方法。
【請求項１０】
免震装置は、構造物側の取付部の基礎側の取付部に対する変位を許容すると共に構造物側の取付部の基礎側の取付部に対する初期設定位置に向かう復元力を構造物側の取付部に与えるように基礎側の取付部及び構造物側の取付部間に介在されるゴム体を有しており、仮支持部材は、ゴム体の周囲において構造物及び構造物側の取付部の荷重を支持することができるように当該ゴム体の周囲に取り外し自在に設置される請求項１から７のいずれか一項に記載の免震構造物の施工方法。
【請求項１１】
基礎側の取付部は、基礎に取り付けられるプレキャストコンクリート製の取付体を有している請求項１から１０のいずれか一項に記載の免震構造物の施工方法。
【請求項１２】
取付体は、基礎に免震装置の取付用穴が形成される場合には、当該取付用穴に挿入されることによって基礎に取り付けられる請求項１１に記載の免震構造物の施工方法。
【請求項１３】
取付体は、取付用穴を画する底面が斜面を有する場合には、当該斜面に対して相補的な形状の斜面を下面に有している請求項１２に記載の免震構造物の施工方法。
【請求項１４】
構造物側の取付部は、上部に構造物が設置されるプレキャストコンクリート製の束を有している請求項１から１３のいずれか一項に記載の免震構造物の施工方法。
【請求項１５】
構造物を設置する工程は、構造物側の取付部に捨て型枠を設置し、設置した捨て型枠上に床材を打設する工程を具備している請求項１から１４のいずれか一項に記載の免震構造物の施工方法。
【請求項１６】
構造物を設置する工程は、構造物側の取付部を底型として構成される束打設用型枠を仮設し、仮設した束打設用型枠内に束を打設し、束の打設後に束打設用型枠を除去して束の上面に捨て型枠を設置し、設置した捨て型枠上に床材を打設する工程を具備している請求項１から１３のいずれか一項に記載の免震構造物の施工方法。
【請求項１７】
基礎に取り付けられる基礎側の取付部、構造物が取り付けられる構造物側の取付部並びに構造物側の取付部の基礎側の取付部に対する変位を許容すると共に構造物の鉛直方向の荷重を支持することができるように基礎側の取付部及び構造物側の取付部間に介在される支持体を有している免震装置とこの免震装置の支持体の周囲において構造物及び構造物側の取付部の鉛直方向の荷重を支持することができるように当該支持体の周囲に取り外し自在に設置される仮支持部材とを夫々具備した少なくとも二つの組み合わせ体と、基礎に取り付けられる基礎側の取付部、構造物が取り付けられる構造物側の取付部並びに構造物側の取付部の基礎側の取付部に対する変位を許容すると共に構造物側の取付部の基礎側の取付部に対する初期設定位置に向かう復元力を構造物側の取付部に与えるように基礎側の取付部及び構造物側の取付部間に介在されるゴム体を有している免震装置とこの免震装置のゴム体の周囲において構造物及び構造物側の取付部の鉛直方向の荷重を支持することができるように当該ゴム体の周囲に取り外し自在に設置される仮支持部材とを具備した他の組み合わせ体とを準備する工程と、準備した他の組み合わせ体が準備した二つの組み合わせ体の間に位置するように二つの組み合わせ体及び他の組み合わせ体の夫々の基礎側の取付部を基礎上に取り付ける工程と、基礎側の取付部が基礎上に取り付けられた他の組み合わせ体の仮支持部材並びに基礎側の取付部が夫々基礎上に取り付けられた二つの組み合わせ体の夫々の支持体及び仮支持部材に構造物及び構造物側の取付部の荷重を支持させつつ、構造物を他の組み合わせ体及び二つの組み合わせ体の夫々の構造物側の取付部上に設置する工程と、構造物の設置後、他の組み合わせ体及び二つの組み合わせ体の夫々の基礎側の取付部及び構造物側の取付部間から各仮支持部材を取り外す工程とを具備している免震構造物の施工方法。
【請求項１８】
請求項１から１７のいずれか一項に記載の免震構造物の施工方法に用いられる組み合わせ体。
【発明の詳細な説明】
【技術分野】
【０００１】
本発明は、地震、風、交通震動等に基づく震動を免震する戸建住宅、集合住宅、ビル建物、橋脚、橋台等の免震構造物の施工方法に関する。
【背景技術】
【０００２】
【特許文献１】特開２００２−３５６９４８号公報
【０００３】
例えば特許文献１においては、免震装置を基礎上に設置し、この免震装置とは別個に、建物床等の構造物の荷重を支持する支持袋からなる支持具を基礎上に設置し、免震装置と支持具とを介在させて構造物を基礎上に設置する免震構造物の施工方法が提案されている。斯かる支持具としては、上記支持袋の他にもジャッキ等が用いられる。
【発明の開示】
【発明が解決しようとする課題】
【０００４】
ところで、斯かる免震構造物の施工方法では、免震装置とは別個に支持具を基礎上に設置するために、支持具を基礎上に設置する手間を省いて免震構造物の施工を簡単にすることが困難であり、また、基礎上に支持具の設置領域を免震装置の設置領域とは別個に確保しなければならない結果、免震装置の個数や配置等の幅広い選択が困難である。
【０００５】
本発明は、前記諸点に鑑みてなされたものであり、その目的とするところは、支持具を基礎上に設置する手間を省いて免震構造物の施工を簡単にすることができ、また、免震装置の個数や配置等の幅広い選択を行い得る免震構造物の施工方法を提供することにある。
【課題を解決するための手段】
【０００６】
本発明の第一の態様の免震構造物の施工方法は、基礎に取り付けられる基礎側の取付部及び構造物が取り付けられる構造物側の取付部を有している免震装置と構造物及び構造物側の取付部の荷重を支持することができると共に構造物側の取付部及び基礎側の取付部間に取り外し自在に設置された仮支持部材とを具備した組み合わせ体を準備する工程と、準備した組み合わせ体の基礎側の取付部を基礎上に取り付ける工程と、基礎側の取付部が基礎上に取り付けられた組み合わせ体の仮支持部材に構造物及び構造物側の取付部の荷重を支持させつつ、構造物を構造物側の取付部上に設置する工程と、構造物の設置後、基礎側の取付部及び構造物側の取付部間から仮支持部材を取り外す工程とを具備している。
【０００７】
第一の態様の免震構造物の施工方法によれば、特に、基礎に取り付けられる基礎側の取付部及び構造物が取り付けられる構造物側の取付部を有している免震装置と構造物及び構造物側の取付部の荷重を支持することができると共に構造物側の取付部及び基礎側の取付部間に取り外し自在に設置された仮支持部材とを具備した組み合わせ体を準備する工程を具備しているために、免震装置の設置とは別個に構造物の荷重を支持する支持具を基礎上に設置する手間を省くことができて免震構造物の施工を簡単にすることができ、また、基礎上に支持具の設置領域を確保する必要をなくすことができて、免震装置の個数や配置等の幅広い選択を行い得る。
【０００８】
本発明においては、その第二の態様の免震構造物の施工方法のように、組み合わせ体の基礎側の取付部と構造物側の取付部との間には、少なくとも二つの仮支持部材が設置されてもよい。
【０００９】
第二の態様の免震構造物の施工方法によれば、上述の構成を具備しているために、例えば構造物を設置する工程において、構造物側の取付部の基礎側の取付部に対する意図しない傾きが生じる虞をなくし得、而して、免震構造物の施工をより簡単に且つより正確に行い得る。
【００１０】
本発明においては、その第三の態様の免震構造物の施工方法のように、仮支持部材は、断面コ形状又は断面Ｈ形状のプレートからなっていてもよい。
【００１１】
第三の態様の免震構造物の施工方法によれば、上述の構成を具備しているために、仮支持部材を基礎側の取付部及び構造物側の取付部に容易に面接触させることができ、従って、構造物及び構造物側の取付部の荷重、特に鉛直方向の荷重を確実に支持することができる。尚、斯かる仮支持部材が基礎側の取付部及び構造物側の取付部の双方にボルト等を介して取り外し自在に固定される場合には、構造物及び構造物側の取付部の鉛直方向の荷重に加えて、これらの水平方向の荷重をも支持することができる。
【００１２】
本発明においては、その第四の態様の免震構造物の施工方法のように、仮支持部材は、金属製であってもよい。
【００１３】
本発明においては、その第五の態様の免震構造物の施工方法のように、仮支持部材は、構造物及び構造物側の取付部の鉛直方向の荷重を支持することができるように、基礎側の取付部及び構造物側の取付部の少なくとも一方に取り外し自在に固定されてもよい。
【００１４】
第五の態様の免震構造物の施工方法によれば、上述の構成を具備しているために、例えば仮支持部材が基礎側の取付部及び構造物側の取付部のいずれか一方に取り外し自在に固定されて当該基礎側の取付部及び構造物側の取付部間に設置される場合には、仮支持部材を構造物及び構造物側の取付部の荷重を支持することができるように簡単に設置することができる一方、当該仮支持部材を簡単に取り外すことができ、而して、免震構造物の施工をより簡単にし得、更には、施工された免震構造物の免震装置のメンテナンス等をも簡単に行い得る。
【００１５】
本発明においては、その第六の態様の免震構造物の施工方法のように、仮支持部材は、構造物及び構造物側の取付部の鉛直方向及び水平方向の荷重を支持することができるように、基礎側の取付部及び構造物側の取付部の双方に取り外し自在に固定されていてもよい。
【００１６】
第六の態様の免震構造物の施工方法によれば、上述の構成を具備しているために、免震構造物の施工中に基礎側の取付部と構造物側の取付部との相対的な位置ずれを生じさせなくすることができて、免震構造物の施工を正確に行うことができ、更には、施工された免震構造物の免震装置のメンテナンス等をも正確に行い得る。
【００１７】
本発明においては、その第七の態様の免震構造物の施工方法のように、仮支持部材は、ボルトを介して基礎側の取付部及び構造物側の取付部の少なくとも一方に取り外し自在に固定されてもよい。
【００１８】
本発明においては、その第八の態様の免震構造物の施工方法のように、免震装置は、構造物側の取付部の基礎側の取付部に対する変位を許容すると共に構造物の鉛直方向の荷重を支持することができるように基礎側の取付部及び構造物側の取付部間に介在される支持体を有していてもよく、仮支持部材は、支持体の周囲において構造物及び構造物側の取付部の荷重を支持することができるように当該支持体の周囲に取り外し自在に設置されてもよい。
【００１９】
第八の態様の免震構造物の施工方法によれば、上述の構成を具備しているために、支持体及び仮支持部材により構造物及び構造物側の取付部に加わり得る大きな荷重を確実に支持することができる上に、構造物側の取付部の基礎側の取付部に対する傾きが生じる虞をもなくし得る。
【００２０】
本発明においては、その第九の態様の免震構造物の施工方法のように、支持体は、基礎側の取付部及び構造物側の取付部の夫々に対して転動自在である転動体又は基礎側の取付部及び構造物側の取付部の少なくとも一方に対して水平方向に滑動自在である滑動体からなっていてもよい。
【００２１】
本発明においては、その第十の態様の免震構造物の施工方法のように、免震装置は、構造物側の取付部の基礎側の取付部に対する変位を許容すると共に構造物側の取付部の基礎側の取付部に対する初期設定位置に向かう復元力を構造物側の取付部に与えるように基礎側の取付部及び構造物側の取付部間に介在されるゴム体を有していてもよく、仮支持部材は、ゴム体の周囲において構造物及び構造物側の取付部の荷重を支持することができるように当該ゴム体の周囲に取り外し自在に設置されてもよい。
【００２２】
本発明においては、その第十一の態様の免震構造物の施工方法のように、基礎側の取付部は、基礎に取り付けられるプレキャストコンクリート製の取付体を有していてもよい。
【００２３】
本発明においては、その第十二の態様の免震構造物の施工方法のように、取付体は、基礎に免震装置の取付用穴が形成される場合には、当該取付用穴に挿入されることによって基礎に取り付けられてもよい。
【００２４】
第十二の態様の免震構造物の施工方法によれば、上述の構成を具備しているために、組み合わせ体を基礎上に簡単に設置し得る。
【００２５】
本発明においては、その第十三の態様の免震構造物の施工方法のように、取付体は、取付用穴を画する底面が斜面を有する場合には、当該斜面に対して相補的な形状の斜面を下面に有していてもよい。
【００２６】
第十三の態様の免震構造物の施工方法によれば、上述の構成を具備しているために、基礎の斜面と取付体の斜面とを接合させることで組み合わせ体の基礎に対する位置決めを行い得、而して、組み合わせ体を基礎上に簡単に且つ正確に設置し得る。
【００２７】
本発明においては、その第十四の態様の免震構造物の施工方法のように、構造物側の取付部は、上部に構造物が設置されるプレキャストコンクリート製の束を有していてもよい。
【００２８】
第十四の態様の免震構造物の施工方法によれば、上述の構成を具備しているために、予め構成されたプレキャストコンクリート製の束上に構造物を設置することができ、免震構造物の施工をより簡単に行い得る。
【００２９】
本発明においては、その第十五の態様の免震構造物の施工方法のように、構造物を設置する工程は、構造物側の取付部に捨て型枠を設置し、設置した捨て型枠上に床材を打設する工程を具備していてもよい。
【００３０】
本発明においては、その第十六の態様の免震構造物の施工方法のように、構造物を設置する工程は、構造物側の取付部を底型として構成される束打設用型枠を仮設し、仮設した束打設用型枠内に束を打設し、束の打設後に束打設用型枠を除去して束の上面に捨て型枠を設置し、設置した捨て型枠上に床材を打設する工程を具備していてもよい。
【００３１】
第十六の態様の免震構造物の施工方法によれば、上述の構成を具備しているために、束打設用型枠の底型を構造物側の取付部とは別個に用意する必要をなくすことができ、而して、免震構造物の施工をより簡単に行い得る。
【００３２】
本発明の第十七の態様の免震構造物の施工方法は、基礎に取り付けられる基礎側の取付部、構造物が取り付けられる構造物側の取付部並びに構造物側の取付部の基礎側の取付部に対する変位を許容すると共に構造物の鉛直方向の荷重を支持することができるように基礎側の取付部及び構造物側の取付部間に介在される支持体を有している免震装置とこの免震装置の支持体の周囲において構造物及び構造物側の取付部の鉛直方向の荷重を支持することができるように当該支持体の周囲に取り外し自在に設置される仮支持部材とを夫々具備した少なくとも二つの組み合わせ体と、基礎に取り付けられる基礎側の取付部、構造物が取り付けられる構造物側の取付部並びに構造物側の取付部の基礎側の取付部に対する変位を許容すると共に構造物側の取付部の基礎側の取付部に対する初期設定位置に向かう復元力を構造物側の取付部に与えるように基礎側の取付部及び構造物側の取付部間に介在されるゴム体を有している免震装置とこの免震装置のゴム体の周囲において構造物及び構造物側の取付部の鉛直方向の荷重を支持することができるように当該ゴム体の周囲に取り外し自在に設置される仮支持部材とを具備した他の組み合わせ体とを準備する工程と、準備した他の組み合わせ体が準備した二つの組み合わせ体の間に位置するように二つの組み合わせ体及び他の組み合わせ体の夫々の基礎側の取付部を基礎上に取り付ける工程と、基礎側の取付部が基礎上に取り付けられた他の組み合わせ体の仮支持部材並びに基礎側の取付部が夫々基礎上に取り付けられた二つの組み合わせ体の夫々の支持体及び仮支持部材に構造物及び構造物側の取付部の荷重を支持させつつ、構造物を他の組み合わせ体及び二つの組み合わせ体の夫々の構造物側の取付部上に設置する工程と、構造物の設置後、他の組み合わせ体及び二つの組み合わせ体の夫々の基礎側の取付部及び構造物側の取付部間から各仮支持部材を取り外す工程とを具備している。
【００３３】
第十七の態様の免震構造物の施工方法によれば、特に準備した他の組み合わせ体が準備した二つの組み合わせ体の間に位置するように二つの組み合わせ体及び他の組み合わせ体の夫々の基礎側の取付部を基礎上に取り付ける工程を具備しているために、他の組み合わせ体及び二つの組み合わせ体の夫々の仮支持部材による荷重支持に加えて、他の組み合わせ体の近傍で二つの組み合わせ体の支持体による荷重支持をも行うことができて、構造物及び構造物側の取付部の大きな荷重をも確実に支持することができ、而して、免震構造物の施工をより正確に行い得る。
【００３４】
尚、基礎には、べた基礎、独立基礎、上部構造物に対する下部構造物等が含まれる。免震装置は、例えば、基礎側の取付部及び構造物側の取付部間に転動体を介在させた転がり支承、基礎側の取付部及び構造物側の取付部の少なくとも一方に対して水平方向に滑動自在な滑り支承、基礎側の取付部及び構造物側の取付部間に積層ゴムが介在されたゴム支承、基礎側の取付部及び構造物側の取付部間に積層ゴムが介在されていると共に積層ゴム内に鉛支柱が嵌装された鉛入り積層ゴム支承等からなる。
【発明の効果】
【００３５】
本発明によれば、支持具を基礎上に設置する手間を省いて免震構造物の施工を簡単にすることができ、また、免震装置の個数や配置等の幅広い選択を行い得る免震構造物の施工方法を提供し得る。
【発明を実施するための最良の形態】
【００３６】
次に、本発明の実施の形態の例を、図に示す例に基づいて更に詳細に説明する。尚、本発明はこれら例に何等限定されないのである。
【実施例】
【００３７】
本例の免震構造物の施工方法をもって施工された戸建住宅、集合住宅、ビル建物、橋脚、橋台等の免震構造物、本例では図１に示す戸建住宅１は、地盤２に設置されたコンクリート製の基礎３と、基礎３上に複数の免震装置４、５及び６を介して支持されたコンクリート製の床７を含む構造物としての建物本体８とを具備している。戸建住宅１は、免震装置４、５及び６によって免震化されている。
【００３８】
以下、免震構造物としての戸建住宅１の本例における施工について図１から図２１を参照して詳細に説明する。まず、特に図３から図８並びに図１０から図１６に示すように、基礎３に取り付けられる基礎３側の取付部１１及び建物本体８が取り付けられる建物本体８側の取付部１２を夫々有している複数の免震装置４、５及び６と、建物本体８及び取付部１２の荷重を支持することができると共に取付部１１及び１２間に取り外し自在に設置された仮支持部材１３とを夫々具備した複数の組み合わせ体１６、１７及び１８を準備する。本例の準備工程では、図３から図５に示すような三十二個の組み合わせ体１６と、図１０から図１３に示すような四個の組み合わせ体１７と、図１４から図１６に示すような八個の組み合わせ体１８とを夫々準備する。
【００３９】
準備する組み合わせ体１６の免震装置４は、鉛直方向Ｖで互いに対向している取付部１１及び１２と、取付部１２の取付部１１に対する変位を許容すると共に建物本体８の鉛直方向Ｖの荷重を支持することができるように取付部１１及び１２間に介在される支持体としての転動体２１と、取付部１１及び１２間であって転動体２１の周囲に配されていると共に取付部１１及び１２の少なくとも一方、本例では、取付部１１に固着されている円筒状のスポンジ材２２とを有している。
【００４０】
準備する組み合わせ体１６の一つ又は少なくとも二つの仮支持部材、本例では四つの仮支持部材１３は、転動体２１の周囲において建物本体８及び取付部１２の荷重、本例では鉛直方向Ｖの荷重に加えて水平方向Ｈの荷重をも支持することができるように当該転動体２１の周囲に取り外し自在に設置される。
【００４１】
尚、本例の組み合わせ体１６は、取付部１１及び１２間であって仮支持部材１３及びスポンジ材２２間に配されていると共に転動体２１を覆って当該転動体２１の取付部１１及び１２間からの脱落を防止する脱落防止具２３を更に具備している。
【００４２】
免震装置４の取付部１１は、本例では基礎３にアンカーボルト２５を介して取り付けられる矩形状の取付板２６と、ボルト２７及びナット２８を介して取付板２６の上面２９に着脱自在に装着されると共に転動体２１に接する装着板３０とを具備している。尚、取付板２６には、ボルト２７の棒部が挿通される孔が設けられている。
【００４３】
免震装置４の取付板１２は、本例では建物本体８に取り付けられる矩形状の取付板３１と、ボルト２７及びナット２８を介して取付板３１の下面３２に着脱自在に装着されると共に転動体２１に接する装着板３３とを具備している。装着板３０及び３３は、鉛直方向Ｖにおいて転動体２１を間にして互いに対向している。尚、取付板３１には、ボルト２７の棒部が挿通される孔が設けられている。
【００４４】
装着板３０は、略菱形状の板状体３４と、板状体３４の長手方向における両端部に夫々配されていると共にボルト２７及びナット２８を介して取付板１１に固定される固定部３５とを具備している。固定部３５の夫々には、ボルト２７の棒部が挿通されるスリット又は孔３６が設けられている。ボルト２７及びナット２８は、当該ボルト２７の頭部とナット２８との間に取付板３０及び装着板３０を挟み込むことによって装着板３０を取付板２６に装着する。尚、取付板２６には、ナット２８が溶接等により固着されていてもよい。
【００４５】
装着板３３は、装着板３０と同様に構成されているので、以下、装着板３３については図に適宜同符号を付してその詳細な説明を省略する。
【００４６】
取付部１１及び１２の夫々に対して転動自在である転動体２１は、本例では鋼球からなっており、装着板３０及び３３の夫々の略中央部間の位置（初期位置）に配されるようにスポンジ材２２の中空部４０に収容されている。
【００４７】
スポンジ材２２は、取付部１２の取付部１１に対する水平方向Ｈの変位によって転動される転動体２１に押圧されて変形するようになっている。また、変形されたスポンジ材２２は、転動体２１の初期位置に向かう転動に基づいて前記押圧が解除されることにより元の形状に復元するようになっている。
【００４８】
仮支持部材１３は、特に図８に示すように、本例では建物本体８及び取付部１２の荷重を支持することができる程度の剛性を有した断面コ形状の金属製のプレートからなり、鉛直方向Ｖにおける両端に位置する一対の端板部４５及び４６と、端板部４５及び４６を橋絡している平板部４７とを具備している。四つの仮支持部材１３は、水平方向Ｈに関して夫々互いに等しい距離をもって転動体２１から離反していると共に取付板２６及び３１の上面２９及び下面３２の外縁側の部位間に夫々配されている。仮支持部材１３の夫々は、本例では平板部４７が水平方向Ｈに関して端板部４５及び４６よりも転動体２１側に位置するように、取付板２６及び３１間に介在される。
【００４９】
端板部４５及び４６の夫々は、本例では、六角レンチ挿入用の六角穴が頭部に形成されたボルト５０を介して取付板２６及び３１の夫々に取り外し自在に固定されるようになっている。このような端板部４５及び４６を具備した仮支持部材１３は、取付板２６及び３１のいずれか一方又は双方に取り外し自在に固定することができる。
【００５０】
脱落防止具２３は、一対の略半環状体５１及び５２と、略半環状体５１の円周方向における両端部と略半環状体５２の円周方向における両端部とを夫々互いに連結するボルト及びナット等からなる連結具５３と、略半環状体５１の取付板２６側の端縁に一体的に設けられていると共に仮支持部材１３及び装着板３０間に嵌め込まれて脱落防止具２３の水平方向Ｈにおける揺動を抑制する揺動抑制板５５と、略半環状体５２の取付板２６側の端縁に一体的に設けられていると共に仮支持部材１３及び装着板３０間に嵌め込まれて脱落防止具２３の水平方向Ｈにおける揺動を抑制する揺動抑制板５６と具備している。免震装置４に装着された脱落防止具２３の揺動抑制板５５及び５６の夫々の下面は、取付板２６の上面２９に接する。
【００５１】
以上の組み合わせ体１６は、例えば、免震装置４に脱落防止具２３を装着し、その後、仮支持部材１３を取付板２６及び３１に夫々取り外し自在に固定することによって構成される。尚、脱落防止具２３は、仮支持部材１３が取り外しに続いて、連結具５３による連結が解除されて取付部１１及び１２間から取り外される。
【００５２】
準備する組み合わせ体１７の免震装置５は、鉛直方向Ｖで互いに対向している取付部１１及び１２、取付部１２の取付部１１に対する変位を許容すると共に建物本体８の鉛直方向Ｖの荷重を支持することができるように取付部１１及び１２間に介在される支持体としての転動体６１と、取付部１１及び１２間であって転動体６１の周囲に配されていると共に取付部１１及び１２の夫々に固着されている円筒状のスポンジ材６２及び６３と、取付部１１に固着されてスポンジ６２の外周を覆っている環状部６４及び取付部１２に固着されてスポンジ６３の外周を覆っている環状部６５を有していると共に環状部６４及び６５の協働により転動体６１の取付部１１及び１２間からの脱落を防止する脱落防止部６６とを具備している。
【００５３】
免震装置５の取付部１１及び１２は、免震装置４の取付部１１及び１２と夫々同様に構成されているので、以下、免震装置５の取付部１１及び１２については図に適宜同符号を付してこれらの詳細な説明を省略する。尚、免震装置５の装着板３０及び３３は、夫々の長手方向が互いに直交するように夫々免震装置５の取付板２６及び３１に装着されている。
【００５４】
免震装置５の取付部１１及び１２の夫々に対して転動自在である転動体６１は、本例では鋼球からなっており、免震装置５の装着板３０及び３３の夫々の略中央部間に位置（初期位置）に配されるようにスポンジ材６２及び６３の夫々の中空部７０に収容されている。
【００５５】
スポンジ材６２及び６３は、免震装置５の取付部１２の取付部１１に対する水平方向Ｈの変位によって転動される転動体６１に押圧されて変形するようになっている。また、変形されたスポンジ材６２及び６３は、転動体６１の初期位置に向かう転動に基づいて前記押圧が解除されることにより元の形状に復元するようになっている。
【００５６】
環状部６４は、免震装置５の装着板３０に溶接等により一体的に固着されており、鉛直方向Ｖにおいて環状部６４に対向している環状部６５は、免震装置５の装着板３３に溶接等により一体的に固着されている。
【００５７】
準備する組み合わせ体１７の一つ又は少なくとも二つの仮支持部材、本例では四つの仮支持部材１３は、転動体６１の周囲において建物本体８及び取付部１２の荷重、本例では鉛直方向Ｖの荷重に加えて水平方向Ｈの荷重をも支持することができるように当該転動体６１の周囲に取り外し自在に設置される。
【００５８】
組み合わせ体１７の仮支持部材１３は、組み合わせ体１６の仮支持部材１３と同様に構成されているので、以下、組み合わせ体１７の仮支持部材１３については図に適宜同符号を付してその詳細な説明を省略する。
【００５９】
準備する組み合わせ体１８の免震装置６は、鉛直方向Ｖで互いに対向している取付部１１及び１２、取付部１２の取付部１１に対する変位を許容すると共に取付部１２の取付部１１に対する初期設定位置に向かう復元力を取付部１２に与えるように取付部１１及び１２間に介在されるゴム体、本例では二つのゴム体７１及び７２とを具備している。
【００６０】
免震装置６の取付部１１及び１２は、免震装置４の取付部１１及び１２の取付板２６及び３１と同様に構成された取付板を夫々具備しているので、以下、免震装置６の取付部１１及び１２の夫々の取付板にも図に適宜取付板２６及び３１と同符号を付してこれらの詳細な説明を省略する。
【００６１】
免震装置６の取付部１１及び１２は、免震装置６の取付板２６に装着されていると共にゴム体７１及び７２の夫々の鉛直方向Ｖにおける上端部が夫々固着された一対の装着板７５と、鉛直方向Ｖにおいて一対の装着板７５に夫々対向して配されて免震装置６の取付板３１に装着されていると共にゴム体７１及び７２の夫々の鉛直方向Ｖにおける下端部が夫々固着された一対の装着板７６とを具備している。
【００６２】
装着板７５及び７６の夫々は、免震装置４の装着板３０及び３３と夫々同様に構成されているので、以下、装着板７５及び７６の夫々については図に適宜同符号を付してこれらの詳細な説明を省略する。
【００６３】
夫々互いに同様に形成されている略円柱状のゴム体７１及び７２は、積層ゴムからなっていてもよく、また、鉛支柱入り積層ゴムからなっていてもよい。
【００６４】
準備する組み合わせ体１８の一つ又は少なくとも二つの仮支持部材、本例では二つの仮支持部材１３は、ゴム体７１及び７２の周囲において建物本体８及び取付部１２の荷重、本例では鉛直方向Ｖの荷重に加えて水平方向Ｈの荷重をも支持することができるように当該ゴム体７１及び７２の周囲に取り外し自在に設置される。
【００６５】
組み合わせ体１８の仮支持部材１３は、組み合わせ体１６の仮支持部材１３と同様に構成されているので、以下、組み合わせ体１８の仮支持部材１３については図に適宜同符号を付してその詳細な説明を省略する。
【００６６】
尚、準備する組み合わせ体１６、１７及び１８は、断面コ形状のプレートからなる仮支持部材１３を夫々具備しているが、これに代えて、例えば、図９に示すような断面Ｈ形状のプレートからなる仮支持部材８０を夫々具備してもよい。
【００６７】
複数の組み合わせ体１６、１７及び１８を夫々準備した後、地盤２にコンクリートを打ち込んで基礎３を形成し、基礎３の形成後、各取付部１１をアンカーボルト２５を介して基礎３に取り付け、基礎３の上面８１と取付板２６の下面８２との間にモルタル、グラウト等からなる充填材８３を充填し、而して、組み合わせ体１６、１７及び１８を基礎３上に設置する。
【００６８】
四個の組み合わせ体１７は、図２に示すように略矩形状の基礎３の各隅部に夫々配設される。
【００６９】
組み合わせ体１６は、基礎３の隅部に配されてＸ方向で互いに対向している各一対の組み合わせ体１７間に夫々互いに等しい間隔Ｂをもって四個ずつ配設されると共に、基礎３の隅部に配されて水平面内においてＸ方向に直交するＹ方向で互いに対向している各一対の組み合わせ体１７間に夫々互いに等しい間隔Ｃをもって四個ずつ配設される。三十二個の組み合わせ体１６のうちの十六個の組み合わせ体１６は、上述のように基礎３の上面８１の外周側に夫々配設される。また、前記十六個の組み合わせ体１６以外であって三十二個の組み合わせ体１６のうちの残りの十六個の組み合わせ体１６は、基礎３の上面８１の外周側の十六個の組み合わせ体１６に対してＸ方向及びＹ方向において夫々対向するように配設される。
【００７０】
八個の組み合わせ体１８は、Ｘ方向で互いに対向する各一対の組み合わせ体１７間に配設された組み合わせ体１６の夫々とこれらの組み合わせ体１６の夫々にＹ方向において隣接する組み合わせ体１６の夫々との間に位置するように、夫々配設される。
【００７１】
複数の組み合わせ体１６、１７及び１８の夫々の取付部１１は、夫々互いに略同様にして基礎３に取り付けられるので、以下、組み合わせ体１６の取付部１１を基礎３上に取り付ける場合について説明する。
【００７２】
組み合わせ体１６の取付板２６の下面８２と基礎３の上面８１との間に充填材８３を充填する場合は、図１７及び図１８に示すように、鋼板部８４を有した一対の側型８５及び８６の夫々の鋼板部８４が取付板２６及び３１に接するように側型８５及び８６を、これらが互いに取付板２６及び３１を間にして配されるように、基礎３の上面８１に仮設し、続いて、仮設した側型８５から側型８６まで伸びている一対の側型８７及び８８を、これらが互いに取付板２６に対して隙間Ａをもって側型８５及び８６間に配されるように、基礎３の上面８１に仮設して、側型８５、８６、８７及び８８によって充填材８３の充填用の型枠８９を構成し、構成した型枠８９内に充填材８３を隙間Ａを介して流入する。流入した充填材８３が固まった後には、本例では側型８７及び８８を基礎３上から除去する。尚、側型８５及び８６は、束打設用型枠９１の一部をも構成する。
【００７３】
複数の組み合わせ体１６、１７及び１８の夫々の取付部１１を基礎３上に取り付けた後、図１９及び図２０に示すように、取付板１２を底型として構成される束打設用型枠９１を仮設し、仮設した束打設用型枠９１内に束（束柱）９２を打設し、図２１に示すように、束９２の打設後に束打設用型枠９１を除去して当該束９２の上面９３に捨て型枠９４を設置し、設置した捨て型枠９４上に床材、本例ではコンクリートからなる床材９５を打設し、このようにして、取付部１１が基礎３上に設置された組み合わせ体１６、１７及び１８の夫々の仮支持部材１３に取付部１２の荷重及び漸次構築される建物本体８の荷重を支持させつつ建物本体８を取付部１２上に設置する。
【００７４】
束９２は、側型８５及び８６の上面に上側型１０１及び１０２を仮設し、側型８５及び上側型１０１から側型８６及び上側型１０２まで伸びていると共に取付板１１に接する合わせ型１０３及び１０４を、これらが互いに取付板１１を間にして側型８５及び上側型１０１と側型８６及び上側型１０２との間に配されるように、基礎３上に夫々仮設して、束打設用型枠９１を構成し、構成した束打設用型枠９１内に配筋等を施しながらコンクリートを打設することによって形成される。
【００７５】
捨て型枠９４は、Ｙ方向に伸びていると共にＹ方向で互いに隣接する束９２の上面９３又は側面１１０に取り付けられた断面略Ｌ形状の受け材（アングル材）１１１に、Ｘ方向に伸びたリブ１１２を下面に有した床板型枠（フラットデッキ）１１３を受け止めさせることによって構成される。このようにして構成された捨て型枠９４上に床材９５を打設することによって建物本体８の床７が取付部１１上に設置される。
【００７６】
床７の設置後、図３に示すような状態にされた組み合わせ体１６、１７及び１８により床７と基礎３との位置関係が決定されるため、六角レンチ等を用いてボルト５０による各仮支持部材１３の取付板２６及び３１への固定を解除して、各仮支持部材１３を取付部１１及び１２間から取り外してもよいが、床７の設置に続いて建物本体８の残りの部分を構築した後に各支持部材１３を取付部１１及び１２間から取り外してもよい。
【００７７】
本例の免震構造物の施工方法によれば、基礎３に取り付けられる基礎３側の取付部１１及び構造物としての建物本体８が取り付けられる建物本体８側の取付部１２を有している免震装置４、５及び６と建物本体８及び取付部１２の荷重を支持することができると共に取付部１１及び１２間に取り外し自在に設置された仮支持部材１３とを具備した組み合わせ体１６、１７及び１８を準備する工程と、準備した組み合わせ体１６、１７及び１８の夫々の取付部１１を基礎３上に取り付ける工程と、取付部１１が基礎３上に取り付けられた組み合わせ体１６、１７及び１８の夫々の仮支持部材１３に建物本体８及び取付部１２の荷重を支持させつつ、建物本体８を取付部１２上に設置する工程と、建物本体８の設置（建物本体８の部分的な設置を含む）後、取付部１１及び１２間から仮支持部材１３を取り外す工程とを具備しているために、組み合わせ体１６、１７及び１８を設置することで免震装置４、５及び６の設置とは別個に建物本体８の荷重を支持する支持具等を基礎３上に設置する手間を省くことができて免震構造物、本例では戸建住宅１の施工を簡単にすることができ、また、基礎３上に支持具の設置領域を確保する必要をなくすことができて、免震装置４、５及び６の個数や配置等の幅広い選択を行い得る。
【００７８】
本例の免震構造物の施工方法によれば、組み合わせ体１６、１７及び１８の夫々の基礎３側の取付部１１と建物本体８側の取付部１２との間には、少なくとも二つの仮支持部材１３が設置されているために、例えば建物本体８を設置する工程において、取付部１２の取付部１１に対する意図しない傾きが生じる虞をなくし得、而して、戸建住宅１の施工をより簡単に且つより正確に行い得る。
【００７９】
本例の免震構造物の施工方法によれば、仮支持部材１３は、断面コ形状のプレートからなるために、仮支持部材１３を取付部１１及び１２に容易に面接触させることができ、従って、建物本体８及び取付部１２の荷重、特に鉛直方向Ｖの荷重を確実に支持することができる。尚、組み合わせ体１６、１７及び１８は、断面コ形状のプレートからなる仮支持部材１３を夫々具備しているが、これらに代えて、例えば断面Ｈ形状のプレートからなる仮支持部材を具備していてもよく、斯かる仮支持部材によっても上記同様の効果を奏し得る。
【００８０】
本例の免震構造物の施工方法によれば、仮支持部材１３は、建物本体８及び取付部１２の鉛直方向Ｖの荷重を支持することができるように、取付部１１及び１２の少なくとも一方に取り外し自在に固定されることが可能であるために、例えば仮支持部材１３が取付部１１及び１２のいずれか一方に取り外し自在に固定されて取付部１１及び１２間に設置される場合には、仮支持部材１３を建物本体８及び取付部１２の荷重を支持することができるように簡単に設置することができる一方、当該仮支持部材１３を簡単に取り外すことができ、而して、戸建住宅１の施工をより簡単にし得、更には、施工された戸建住宅１の免震装置４、５及び６のメンテナンス等をも簡単に行い得る。
【００８１】
本例の免震構造物の施工方法によれば、仮支持部材１３は、建物本体８及び取付部１２の鉛直方向Ｖ及び水平方向Ｈの荷重を支持することができるように、取付部１１及び１２の双方に取り外し自在に固定されることが可能であるために、戸建住宅１の施工中に取付部１１と取付部１２との相対的な位置ずれを生じさせなくすることができて、戸建住宅１の施工を正確に行うことができ、更には、施工された戸建住宅１の免震装置４、５及び６のメンテナンス等をも正確に行い得る。
【００８２】
本例の免震構造物の施工方法によれば、免震装置４及び５は、取付部１２の取付部１１に対する変位を許容すると共に建物本体８の鉛直方向Ｖの荷重を支持することができるように取付部１１及び１２間に介在される支持体としての転動体２１及び６１を有しており、仮支持部材１３は、転動体２１及び６１の周囲において建物本体８及び取付部１２の荷重を支持することができるように当該転動体２１及び６１の周囲に取り外し自在に設置されるために、転動体２１及び仮支持部材１３並びに転動体６１及び仮支持部材１３により建物本体８及び取付部１２に加わり得る大きな荷重を確実に支持することができる上に、取付部１２の取付部１１に対する傾きが生じる虞をもなくし得る。尚、免震装置４及び５は、支持体としての転動体２１及び６１を夫々具備しているが、これらに代えて、取付部１１及び１２の少なくとも一方に対して水平方向Ｈに滑動自在である支持体としての滑動体を具備していてもよく、斯かる滑動体によっても上記同様の効果を奏し得る。
【００８３】
本例の免震構造物の施工方法によれば、建物本体８を設置する工程は、取付部１２を底型として構成される束打設用型枠９１を仮設し、仮設した束打設用型枠９１内に束９２を打設し、束９２の打設後に束打設用型枠９１を除去して束９２の上面９３に捨て型枠９４を設置し、設置した捨て型枠９４上に床材９５を打設する工程を具備しているために、束打設用型枠９１の底型を取付部１２とは別個に用意する必要をなくすことができ、而して、戸建住宅１の施工をより簡単に行い得る。
【００８４】
本例の免震構造物の施工方法によれば、基礎３に取り付けられる基礎３側の取付部１１、構造物としての建物本体８が取り付けられる建物本体８側の取付部１２並びに取付部１２の取付部１１に対する変位を許容すると共に建物本体８の鉛直方向Ｖの荷重を支持することができるように取付部１１及び１２間に介在される支持体としての転動体２１を有している免震装置４とこの免震装置４の転動値体２１の周囲において建物本体８及び取付部１２の鉛直方向Ｖの荷重を支持することができるように当該転動体２１の周囲に取り外し自在に設置される仮支持部材１３とを夫々具備した少なくとも二つの組み合わせ体１６と、基礎３に取り付けられる基礎３側の取付部１１、建物本体８が取り付けられる建物本体８側の取付部１２並びに取付部１２の取付部１１に対する変位を許容すると共に取付部１２の取付部１１に対する初期設定位置に向かう復元力を取付部１２に与えるように取付部１１及び１２間に介在されるゴム体７１及び７２を有している免震装置６とこの免震装置６のゴム体７１及び７２の周囲において建物本体８及び取付部１２の鉛直方向Ｖの荷重を支持することができるように当該ゴム体７１及び７２の周囲に取り外し自在に設置される仮支持部材１３とを具備した他の組み合わせ体１８とを準備する工程と、準備した他の組み合わせ体１８が準備した二つの組み合わせ体１６の間に位置するように二つの組み合わせ体１６及び他の組み合わせ体１８の夫々の取付部１１を基礎３上に取り付ける工程と、取付部１１が基礎３上に取り付けられた他の組み合わせ体１８の仮支持部材１３並びに取付部１１が夫々基礎３上に取り付けられた二つの組み合わせ体１６の夫々の転動体２１及び仮支持部材１３に建物本体８及び取付部１２の荷重を支持させつつ、建物本体８を他の組み合わせ体１８及び二つの組み合わせ体１６の夫々の取付部１２上に設置する工程と、建物本体８の設置後、他の組み合わせ体１８及び二つの組み合わせ体１６の夫々の取付部１１及び１２間から各仮支持部材１３を取り外す工程とを具備しているために、他の組み合わせ体１８及び二つの組み合わせ体１６の夫々の仮支持部材１３による荷重支持に加えて、他の組み合わせ体１８の近傍で二つの組み合わせ体１６の転動体２１による荷重支持をも行うことができて、建物本体８及び取付部１２の大きな荷重をも確実に支持することができ、而して、免震構造物としての戸建住宅１の施工をより正確に行い得る。
【００８５】
尚、基礎３側の取付部１１は、基礎３に取り付けられるプレキャストコンクリート製の取付体を有していてもよく、斯かる取付体は、基礎３に免震装置４、５及び６の取付用穴が形成される場合には、当該取付用穴に挿入されることによって基礎３に取り付けられてもよく、斯かる場合には、取付部１１のアンカーボルト２５による取り付け工程や充填材８３を充填する工程等を省くことができて組み合わせ体１６、１７及び１８を基礎３上により簡単に設置し得る。また、斯かる取付体は、取付用穴を画する底面が斜面を有する場合には、当該斜面に対して相補的な形状の斜面を下面に有していてもよく、斯かる取付体によれば、基礎３の斜面と取付体の斜面とを接合させることで組み合わせ体１６、１７及び１８の基礎３に対する位置決めを行い得、而して、組み合わせ体１６、１７及び１８を基礎３上に簡単に且つ正確に設置し得る。
【００８６】
また、建物本体８側の取付部１２は、上部に建物本体８が設置されるプレキャストコンクリート製の束を有していてもよく、斯かる場合には、束９２を打設する工程を省いても予め構成されたプレキャストコンクリート製の束上に建物本体８を設置することができ、免震構造物としての戸建住宅１の施工をより簡単に行い得る。
【図面の簡単な説明】
【００８７】
【図１】本発明にしたがう免震構造物の施工方法をもって施工された戸建住宅の側面説明図である。
【図２】本発明の免震構造物の施工方法の工程説明図である。
【図３】本発明の免震構造物の施工方法の工程説明図である。
【図４】図３に示す例の主に組み合わせ体のＩＶ−ＩＶ線矢視説明図である。
【図５】図３に示す例の主に組み合わせ体のＶ−Ｖ線矢視断面説明図である。
【図６】本発明の免震構造物の施工方法において準備する免震装置の説明図である。
【図７】図６に示す例の主に免震装置のＶＩＩ−ＶＩＩ線矢視断面説明図である。
【図８】本発明の免震構造物の施工方法において準備する主に仮支持部材の説明図である。
【図９】本発明の免震構造物の施工方法において準備する主に他の仮支持部材の説明図である。
【図１０】本発明の免震構造物の施工方法において準備する他の組み合わせ体の説明図である。
【図１１】図１０に示す例の主に他の組み合わせ体のＸＩ−ＸＩ線矢視説明図である。
【図１２】図１０に示す例の主に他の組み合わせ体のＸＩＩ−ＸＩＩ線矢視断面説明図である。
【図１３】図１０に示す例の主に他の組み合わせ体のＸＩＩＩ−ＸＩＩＩ線矢視断面説明図である。
【図１４】本発明の免震構造物の施工方法において準備する他の組み合わせ体の説明図である。
【図１５】図１４に示す例の主に他の組み合わせ体のＸＶ−ＸＶ線矢視説明図である。
【図１６】図１４に示す例の主に他の組み合わせ体のＸＶＩ−ＸＶＩ線矢視説明図である。
【図１７】本発明の免震構造物の施工方法の工程説明図である。
【図１８】本発明の免震構造物の施工方法の工程説明図であって、図１７に示す例の側面説明図である。
【図１９】本発明の免震構造物の施工方法の工程説明図である。
【図２０】本発明の免震構造物の施工方法の工程説明図であって、図１９に示す例の側面説明図である。
【図２１】本発明の免震構造物の施工方法の工程説明図である。
【符号の説明】
【００８８】
１  戸建住宅
３  基礎
４、５、６  免震装置
８  建物本体
１１、１２  取付部
１３  仮支持部材
１６、１７、１８  組み合わせ体
【図１】
2006037422.tif 000003
【図２】
2006037422.tif 000004
【図３】
2006037422.tif 000005
【図４】
2006037422.tif 000006
【図５】
2006037422.tif 000007
【図６】
2006037422.tif 000008
【図７】
2006037422.tif 000009
【図８】
2006037422.tif 000010
【図９】
2006037422.tif 000011
【図１０】
2006037422.tif 000012
【図１１】
2006037422.tif 000013
【図１２】
2006037422.tif 000014
【図１３】
2006037422.tif 000015
【図１４】
2006037422.tif 000016
【図１５】
2006037422.tif 000017
【図１６】
2006037422.tif 000018
【図１７】
2006037422.tif 000019
【図１８】
2006037422.tif 000020
【図１９】
2006037422.tif 000021
【図２０】
2006037422.tif 000022
【図２１】
2006037422.tif 000023